(57)【要約】【目的】極めて簡単な構成でありながら、安価かつ取付強度の高い二層タイプの屋根における建築用支持具を提供すること。【構成】低位上面１１を有する低門形部の前側に垂下状の連結内側部１２が形成され、低門形部の両側部に折板屋根の馳締部が遊挿される馳締切欠き１３が形成された上馳側部材１と、高位上面３１を有する高門形部の後側に垂下状の連結外側部３２が形成され、高門形部の両側部前端に切欠き付き突起３３が形成された下馳側部材３とを備えること。連結外側部３２と連結内側部１２とが締付具４を介して連結されてなる構成とすること。【選択図】      図１
2019183623.tif 000002
【特許請求の範囲】
【請求項１】
低位上面を有する低門形部の前側に垂下状の連結内側部が形成されると共に、前記低門形部の両側部に折板屋根の馳締部が遊挿される馳締切欠きが形成された上馳側部材と、高位上面を有する高門形部の後側に垂下状の連結外側部が形成され、前記高門形部の両側部前端に切欠き付き突起が形成された下馳側部材と、前記低位上面，前記連結外側部及び前記連結内側部にそれぞれ形成された連結孔と、締付具とを備え、前記上馳側部材と前記下馳側部材とは前記連結孔を介して前記締付具にて締付可能に構成されてなることを特徴とする建築用支持具。
【請求項２】
請求項１の建築用支持具において、前記上馳側部材の前記低位上面及び前記連結内側部の前記連結孔はネジ孔としてなることを特徴とする建築用支持具。
【請求項３】
請求項２の建築用支持具において、前記連結孔は、バーリング加工されたネジ孔としてなることを特徴とする建築用支持具。
【請求項４】
請求項１の建築用支持具において、前記上馳側部材は、前記低位上面及び前記連結内側部の内面に重合され、且つ連結孔が形成された補強用のＬ形状のあて板材が具備されてなることを特徴とする建築用支持具。
【請求項５】
請求項４の建築用支持具において、前記あて板材の前記連結孔は、バーリング加工されたネジ孔としてなることを特徴とする建築用支持具。
【請求項６】
請求項４又は５の何れか１項に記載の建築用支持具において、前記上馳側部材の前記あて板材は、前記上馳側部材の低位上面とカシメ加工によって固定されてなることを特徴とする建築用支持具。
【請求項７】
請求項１，２，３，４，５又は６の何れか１項に記載の建築用支持具において、前記上馳側部材の前記低門形部の両側部より前記連結内側部の外面に重なる覆い片が設けられてなることを特徴とする建築用支持具。
【請求項８】
請求項１，２，３，４，５，６又は７の何れか１項に記載の建築用支持具において、前記上馳側部材の前記低門形部の両側部下端及び前記下馳側部材の前記高門形部の両側部下端よりそれぞれ台座片が屈曲形成されてなることを特徴とする建築用支持具。
【請求項９】
請求項１，２，３，４，５，６，７又は８の何れか１項に記載の建築用支持具において、前記上馳側部材の前記低門形部の両側部箇所の前記馳締切欠きの下端に、馳締部固定用突起が形成されてなることを特徴とする建築用支持具。
【発明の詳細な説明】
【技術分野】
【０００１】
本発明は、下層屋根と上層屋根とからなり、下層屋根と上層屋根との間隔が小さい簡単な構成とした二層屋根において、安価かつ安定した取付強度を確保できる建築用支持具に関する。
【背景技術】
【０００２】
従来、断熱材等の内装材を不要とする簡単な構造とした下層屋根と上層屋根とからなる二層タイプの屋根又は壁等の外囲体が多く存在している。この種の外囲体において、二層屋根における上層屋根と下層屋根との間には支持具が設けられており、該支持具は下層屋根上に装着され、前記支持具によって上層屋根が下層屋根上に支持されるものである。
【０００３】
断熱材等を備えていない二層タイプの屋根においては、構成する下層屋根と上層屋根との上下方向（高さ方向）の間隔は小さいものであり、これに応じて支持具のサイズも小さくしたものが必要となる。
【先行技術文献】
【特許文献】
【０００４】
【特許文献１】特開２０１４−１６９６１５号公報
【特許文献２】特開２０１６−５６６８２号公報
【発明の概要】
【発明が解決しようとする課題】
【０００５】
上記要件を備えたものとして特許文献１が存在する。しかし、この特許文献１における支持具（折板屋根用取付金具）では、上層屋根と下層屋根との間を比較的低く抑えられ、施工し易く構成されているが、簡易な構成により、取付強度は低いものである。一方で、特許文献２のように、上層屋根と下層屋根との間において取付強度を強固なものとしているのも存在する。
【０００６】
しかし、取付強度を保持するための強固な部材の使用によりコストが高くなってしまう。さらに、取付には上層屋根と下層屋根との間を嵩上げする必要があるため、二層屋根を改修する際は、既存パラペットや換気口などの取合部が邪魔になる場合があり、施工できないこともある。したがって、特許文献１における支持具では嵩上げは必要ないが取付強度が低く、特許文献２における支持具では、取付強度は高いが嵩上げが必要で簡易な構造とはいえず、製造コストも高くなっている。
【０００７】
よって特許文献１及び特許文献２にて開示されている支持具は、上述の二層屋根には必ずしも好適なものとはいえない。そこで、本発明の目的（解決しようとする技術的課題）は、極めて簡単な構成でありながら、安価かつ取付強度の高い二層タイプの屋根における建築用支持具を提供することにある。
【課題を解決するための手段】
【０００８】
そこで、発明者は上記課題を解決すべく、鋭意，研究を重ねた結果、請求項１の発明を、低位上面を有する低門形部の前側に垂下状の連結内側部が形成されると共に、前記低門形部の両側部に折板屋根の馳締部が遊挿される馳締切欠きが形成された上馳側部材と、高位上面を有する高門形部の後側に垂下状の連結外側部が形成され、前記高門形部の両側部前端に切欠き付き突起が形成された下馳側部材と、前記低位上面，前記連結外側部及び前記連結内側部にそれぞれ形成された連結孔と、締付具とを備え、前記上馳側部材と前記下馳側部材とは前記連結孔を介して前記締付具にて締付可能に構成されてなることを特徴とする建築用支持具としたことにより、上記課題を解決した。
【０００９】
請求項２の発明を、請求項１の建築用支持具において、前記上馳側部材の前記低位上面及び前記連結内側部の前記連結孔はネジ孔としてなることを特徴とする建築用支持具としたことにより、上記課題を解決した。請求項３の発明を、請求項２の建築用支持具において、前記連結孔は、バーリング加工されたネジ孔としてなることを特徴とする建築用支持具としたことにより、上記課題を解決した。請求項４の発明を、請求項１の建築用支持具において、前記上馳側部材は、前記低位上面及び前記連結内側部の内面に重合され、且つ連結孔が形成された補強用のＬ形状のあて板材が具備されてなることを特徴とする建築用支持具としたことにより、上記課題を解決した。
【００１０】
請求項５の発明を、請求項４の建築用支持具において、前記あて板材の前記連結孔は、バーリング加工されたネジ孔としてなることを特徴とする建築用支持具としたことにより、上記課題を解決した。請求項６の発明を、請求項４又は５の何れか１項に記載の建築用支持具において、前記上馳側部材の前記あて板材は、前記上馳側部材の低位上面とカシメ加工によって固定されてなることを特徴とする建築用支持具としたことにより、上記課題を解決した。請求項７の発明を、請求項１，２，３，４，５又は６の何れか１項に記載の建築用支持具において、前記上馳側部材の前記低門形部の両側部より前記連結内側部の外面に重なる覆い片が設けられてなることを特徴とする建築用支持具としたことにより、上記課題を解決した。
【００１１】
請求項８の発明を、請求項１，２，３，４，５，６又は７の何れか１項に記載の建築用支持具において、前記上馳側部材の前記低門形部の両側部下端及び前記下馳側部材の前記高門形部の両側部下端よりそれぞれ台座片が屈曲形成されてなることを特徴とする建築用支持具としたことにより、上記課題を解決した。請求項９の発明を、請求項１，２，３，４，５，６，７又は８の何れか１項に記載の建築用支持具において、前記上馳側部材の前記低門形部の両側部箇所の前記馳締切欠きの下端に、馳締部固定用突起が形成されてなることを特徴とする建築用支持具としたことにより、上記課題を解決した。
【発明の効果】
【００１２】
請求項１の発明では、二層屋根において上下方向（高さ方向）の間隔が小さいものに使用する支持具として極めて好適なものにできる。つまり本発明における建築用支持具は、小型且つ単純な構成とすることができる。また、本発明における建築用支持具を構成する部材が少ないため施工性に優れ、生産コストを低く抑えられる利点がある。また、前記低位上面，前記連結外側部，前記連結内側部にそれぞれ連結孔を形成しているので、前記上馳側部材と前記下馳側部材とが締付具による締付し易くなると共に、取付強度を高める効果がある。
【００１３】
請求項２の発明では、前記上馳側部材の前記低位上面及び前記連結内側部の前記連結孔はネジ孔とすることで、締付具をボルトのみとしナットを不要にでき、部品点数を減らすことができる。請求項３の発明では、前記連結孔には、ネジ孔としてバーリング加工されたことで、連結孔のネジ孔周辺の強度を向上させることができ、これによって、締付具による前記上馳側部材と前記下馳側部材との締付強度をより一層強固なものにできる。請求項４の発明では、前記上馳側部材に備えられたあて板材により、折板屋根板の馳締部に取付る際に強度を保つことができる。
【００１４】
請求項５の発明では、前記あて板材における前記連結孔を、ネジ孔としてバーリング加工により形成することで、前記上馳側部材と前記下馳側部材との連結の際、該連結孔と締付具のみによって固定することができる。つまり、締付具を固定する際のナット等が不要となるため、建築用支持具を低コストで生産することが可能である。請求項６の発明では、前記上馳側部材の低位上面と前記あて板材をカシメ加工によって固定させることで、連結した建築用支持具全体の安定性を強くし、折板屋根板の馳締部に取付る強度を高める効果が得られる。
【００１５】
請求項７の発明では、前記上馳側部材の前記低門形部の両側部より前記連結内側部の外面に重なる覆い片を設けることで、前記上馳側部材の強度を高め、建築用支持具全体の取付強度を向上させることができる。請求項８の発明では、前記上馳側部材の前記低門形部の両側部下端及び前記下馳側部材の前記高門形部の両側部下端に屈曲形成した台座片を設けることで、建築用支持具を折板屋根板の馳締部に取付た際に、前記台座片の底面が、折板屋根板の上馳部及び下馳部にそれぞれ接地することで、建築用支持具と折板屋根板の馳締部の取付を安定させる利益がある。
【００１６】
請求項９の発明では、前記上馳側部材の前記低門形部の両側部箇所の前記馳締切欠きの下端に、馳締部固定用突起を設けることで、該馳締部固定用突起を介して、建築用支持具と折板屋根板の馳締部を締付具によってこれらの部材を一体化させることで、安定した取付強度の高い施工を可能とする。
【図面の簡単な説明】
【００１７】
【図１】（Ａ）は本発明の第１実施形態における建築用支持具を備えた二層屋根の概要正面図、（Ｂ）は（Ａ）の（α）部における拡大断面図、（Ｃ）は本発明における建築用支持具の分解拡大縦断正面図である。
【図２】（Ａ）は本発明の第１実施形態における上馳側部材の加工途中の展開図、（Ｂ）は完成した上馳側部材の斜視図、（Ｃ）は本発明の実施形態のあて板材の一部切除した斜視図、（Ｄ）は上馳側部材とあて板材を重合させた斜視図である。
【図３】（Ａ）乃至（Ｂ）は本発明の第１実施形態における下馳側部材の斜視図、（Ｃ）は上馳側部材，下馳側部材及び締付具の分解斜視図である。
【図４】（Ａ）乃至（Ｄ）は本発明の第１実施形態における建築用支持具を二層屋根の下層屋根の馳締部箇所に装着する工程を示す縦断正面図である。
【図５】（Ａ）本発明の第１実施形態における建築用支持具を二層屋根の下層屋根の馳締部箇所に装着した状態の一部斜視図、（Ｂ）は本発明の建築用支持具を備えた二層屋根において強負圧が作用している状態の一部正面図である。
【図６】（Ａ）は本発明の第２実施形態における建築用支持具の分解拡大縦断正面図、（Ｂ）は第２実施形態における上馳側部材，下馳側部材及び締付具の分解斜視図、（Ｃ）は第２実施形態における上馳側部材の一部切除した斜視図である。
【図７】本発明の第２実施形態における建築用支持具を備えた二層屋根の概要拡大断面正面図である。
【図８】本発明の第２実施形態の変形例における建築用支持具の分解拡大縦断正面図である。
【発明を実施するための形態】
【００１８】
以下、本発明の実施形態について図面に基づいて説明すると、図１乃至図５は本発明の第１実施形態が記載されている。この第１実施形態において主な構成は、図１乃至図３に示すように、上馳側部材１と、あて板材２と、下馳側部材３と、締付具４等を備えたものである。本実施形態の建築用支持具は、図１乃至図５に示されている。図２（Ｂ）に示すように、前記上馳側部材１は横断正面から見て門形に形成され、後述する下馳側部材３の門形と比較して上面の高さが低く形成されている〔図１（Ｃ）参照〕。この形状を低門形と呼ぶ。
【００１９】
その低門形の上面には低位上面１１、両側面には馳締切欠き１３，１３が形成されている。低位上面１１には、後述する吊子８が配置固着され後述する上層屋根Ｂ２を支持する役目をなすものである〔図１（Ｂ）参照〕。また、上馳側部材１の連結方向前側の側面には、垂下状の連結内側部１２が形成されている〔図１（Ｃ）参照〕。
【００２０】
前記連結内側部１２及び前記馳締切欠き１３，１３の側面は、低位上面１１に対して直角に形成されている。さらに、前記馳締切欠き１３，１３の下端には、馳締部固定用突起１５，１５が形成されている〔図２（Ｂ）参照〕。また、上馳側部材１の低門形の両側面の下端には、それぞれ台座片１４，１４が屈曲形成されている。前記台座片１４，１４は、低門形の側面に対して直角かつ上馳側部材１外方向に形成されている。
【００２１】
前記連結内側部１２に形成される連結孔１２ａは、締付具４のボルト４１にて、後述する下馳側部材３の連結孔３２ａ及び前記連結孔１２ａを介して前記あて板材２の連結孔２１ａを締付し、前記上馳側部材１，前記下馳側部材３及びあて板材２とを連結する役目をなすものである〔図３（Ｃ）参照〕。
【００２２】
前記馳締切欠き１３，１３は、それぞれ凹部１３ａと係止部１３ｂから形成され、本発明の建築用支持具を馳締部Ｊに装着する際に、係止部１３ｂは馳締部Ｊの首部を挟持するために連結内側部１２方向に突出し、凹部１３ａは馳締部Ｊの頭部を収容するように連結内側部１２に対して逆方向へ湾曲するよう形成されている〔図１（Ｃ）参照〕。
【００２３】
前記馳締部固定用突起１５，１５は、低門形の側面に対して直角かつ上馳側部材１外方向に形成されるとともに、馳締部Ｊの首部７１ｆを締付易くするために、該首部７１ｆの表面と平行に固定可能とするように板状に形成されている〔図１（Ｂ），（Ｃ）及び図５（Ａ）参照〕。
【００２４】
前記馳締部固定用突起１５，１５の先端側には、締付具のネジ等により馳締部固定用突起１５，１５と馳締部Ｊの首部７１ｆを固定するための連結孔１５ａを形成している〔図２（Ｂ）参照〕。尚、前記連結孔１５ａ，１５ａは、締付部材によっては、貫通孔又はネジ孔としてもよい。
【００２５】
図２（Ａ）に示すように、前記低位上面１１、連結内側部１２、馳締切欠き１３，１３、台座片１４，１４、馳締部固定用突起１５，１５、後述する覆い片１６，１６は金属板から一体形成されており、筐体状をなしている。また、図２（Ｄ）に示すように、前記連結内側部１２の側面において、低門形の両側面より、前記連結内側部１２の外面に重なる覆い片１６，１６が形成されている。この覆い片１６，１６は、金属板を形成する際、低位上面１１の延長上の金属板を上馳側部材１の内側に、低門形両側面の延長上の金属板を上馳側部材１の外側となるように形成されている〔図２（Ａ）参照〕。
【００２６】
図１（Ｃ）に示すように、台座片１４，１４の底面と低位上面１１とは、平行又は前記台座片１４，１４の底面の連結内側部１２方向へ僅かに上向きに傾斜した形状となっている。また、連結内側部１２側の低門形の両側面の下端に位置する下馳接地部１７，１７と低位上面１１とも、平行又は下馳接地部１７，１７が馳締切欠き１３方向へ僅かに上向きに傾斜した形状となっている。
【００２７】
図１（Ｃ）及び図２（Ｄ）に示すように、前記低位上面１１と前記連結内側部１２の内面にＬ形状のあて板材２が固定されている。あて板材２は、前述したように、金属板から略Ｌ形状となるように形成されたものである。具体的には、該あて板材２は、金属帯板が略直角となるように折曲されたり〔図２（Ｃ）参照〕、或いは二枚の金属板が略直角となるように溶接等の固着手段にて接続されることにより形成されたものである。該あて板材２は、前記低位上面１１にカシメ加工１９〔図１（Ｃ）参照〕によって固定されているが、前記連結内側部１２にカシメ加工により固定されることもある。また、前記あて板材２と、締付具４を介して連結される前記連結内側部１２及び後述する連結孔１１ａの前記あて板材２の連結孔２１ａ，２１ｂはネジ孔としてバーリング加工により形成されている〔図２（Ｃ）参照〕。
【００２８】
ネジ孔を構成するバーリング加工について詳述すると、前記連結孔２１ａ，２１ｂが形成される際に、該連結孔２１ａ，２１ｂの周縁に円筒状の膨出部分を形成することである。このバーリング加工により形成された円筒状の膨出部分の内周に内ネジｓが形成され、ネジ孔となる。そして、あて板材２の連結孔２１ａ，２１ｂにバーリング加工によって形成される円筒状の膨出部分をバーリング加工部２ａと称する。前記あて板材２は比較的厚材（約３ｍｍ以上）にて構成されており、前記バーリング加工にてネジ孔長さ略倍程度に長くなり、ナット部材等を付けなくとも、該ナットを付けたと同様な強度を確保でき、且つ安価に構成できる点に大きな利点がある。
【００２９】
上述のように、前記あて板材２の連結孔２１ａ，２１ｂにバーリング加工により形成されたネジ孔を設けているが、この実施形態に限られるものでなく、連結孔１１ａ又は連結孔１２ａをネジ孔としてバーリング加工により形成し、前記あて板材２の連結孔２１ａ又は連結孔２１ｂをネジ孔の無い貫通孔としてもよい。
【００３０】
さらに、前記低位上面１１には連結孔１１ａが設けられ、低位上面１１に吊子８を装着する際に、前記連結孔１１ａには、ボルトによる固着具６のボルト６１が貫通され、前記あて板材２の連結孔２１ｂと共に吊子８を固定するものである〔図１（Ｂ）及び図５（Ｂ）参照〕。前記連結孔２１ｂが貫通孔としている場合は、連結孔１１ａ及び連結孔２１ｂをボルトによる固着具６のボルト６１によって貫通し、ナット等を使用して固定してもよい。
【００３１】
次に、下馳側部材３を、図３（Ａ）及び（Ｂ）において説明する。下馳側部材３は、上馳側部材１と同様に横断正面から見て門形に形成され、前述の上馳側部材１の門形と比較して上面の高さが高く形成されている〔図１（Ｃ）参照〕。この形状を高門形と呼ぶ。その高門形の上面には高位上面３１、その両側面には切欠き付き突起３３，３３が形成されている〔図３（Ｂ）参照〕。
【００３２】
また、下馳側部材３の連結方向後側の側面には、垂下状の連結外側部３２が形成されている。さらに、前記連結外側部３２に形成される連結孔３２ａは、締付具４のボルト４１にて、前記連結孔３２ａ及び前記連結孔１２ａを介して前記あて板材２の連結孔２１ａを締付し、前記上馳側部材１，前記下馳側部材３及びあて板材２とを連結する役目をなすものである〔図３（Ｃ）参照〕。
【００３３】
前記高位上面３１は、前記上馳側部材１と前記下馳側部材３を連結させた際に、該上馳側部材１の底面から低位上面１１までの高さよりも、前記下馳側部材３の底面から前記高位上面３１までの高さの方が高く形成されている〔図１（Ｃ）参照〕。また、高位上面３１には、後述する上層屋根Ｂ２の山形頂部の裏面側が配置され、この部分を支持する役目をなすものである〔図１（Ｂ）参照〕。尚、前記連結外側部３２及び前記切欠き付き突起３３，３３の側面は、高位上面３１に対して直角に形成されている。
【００３４】
下馳側部材３の高門形の両側面の下端には、それぞれ台座片３４，３４が屈曲形成されている。台座片３４，３４は、高門形の側面に対して直角かつ前記下馳側部材３の外方向に形成されている。また、台座片３４，３４の底面と高位上面３１とは、平行又は前記台座片３４，３４の底面の切欠き付き突起３３方向へ僅かに上向きに傾斜した形状となっている。〔図１（Ｃ）参照〕。
【００３５】
前記切欠き付き突起３３，３３は、それぞれ凹部３３ａと係止部３３ｂから形成され、本発明の建築用支持具を馳締部Ｊに装着する際に、係止部３３ｂは馳締部Ｊの首部を挟持するために連結外側部３２に対して逆方向に突出し、凹部３３ａは馳締部Ｊの頭部を収容するように連結外側部３２方向へ湾曲するよう形成されている〔図１（Ｃ）参照〕。
【００３６】
前記高位上面３１、連結外側部３２、切欠き付き突起３３，３３、台座片３４，３４は金属板から一体形成されており、筐体状をなしている〔図３（Ａ）参照〕。ここで、高門形の横幅は前記上馳側部材１の横幅より大きく形成されており、連結した際には、殆ど隙間無く嵌合可能となるように形成されている。
【００３７】
次に、本発明の第１実施形態の建築用支持具を二層屋根Ｂにおける下層屋根Ｂ１の馳締部Ｊに装着する工程について図４にて説明する。まず、本発明の建築用支持具の締付具４を緩めて下馳側部材３を上馳側部材１の外方側に移動させ、該下馳側部材３を前記上馳側部材１の連結内側部１２から離間させる。そして、下馳側部材３の切欠き付き突起３３，３３によって閉じていた上馳側部材１の馳締切欠き１３，１３の間隔を拡げ、馳締切欠き１３，１３の間を馳締部Ｊが挿通可能となるようにする〔図４（Ａ）参照〕。
【００３８】
次に、建築用支持具の下馳側部材側３を下方向に傾けて、馳締切欠き１３，１３の間に馳締部Ｊを通過させて〔図４（Ｂ）参照〕、馳締切欠き１３，１３内に馳締部Ｊを収容させる〔図４（Ｃ）参照〕。このとき、馳締部Ｊの上端とあて板材２の内側とは近接した状態となる。
【００３９】
次いで、締付具４を締付て、下馳側部材３を上馳側部材１内方側に移動させる。これによって、前記下馳側部材３の切欠き付き突起３３，３３の係止部３３ｂ，３３ｂと、上馳側部材１の馳締切欠き１３，１３の係止部１３ｂ，１３ｂとで、馳締部Ｊの首部７１ｆと上馳側の首部７１ｆを挟持固定する。
【００４０】
そして、さらに締付具４を締付ることで、係止部３３ｂ，３３ｂと係止部１３ｂ，１３ｂとが馳締部Ｊを構成する首部７１ｆ，７１ｆを挟持押圧し、建築用支持具が下層屋根Ｂ１の馳締部Ｊに固着される〔図４（Ｄ）参照〕。その後、馳締部Ｊの首部７１ｆに接近している馳締部固定用突起１５，１５に対して、ボルトまたはビス等により、馳締部固定用突起１５，１５を介して首部７１ｆを締付固定させる。そして、建築用支持具の低位上面１１に吊子８を装着し、該吊子８を介して上層屋根Ｂ２を構成する折板屋根板材７１，７１，…を施工してゆくものである。
【００４１】
図１（Ｂ）及び図５（Ｂ）に示すように、吊子８は座金部８１と舌片部８２とから構成される。吊子８の座金部８１が建築用支持具の低位上面１１に固着具６のボルト６１によって固着される。そして、吊子８の舌片部８２によって上層屋根Ｂ２を構成する折板屋根板材７１，７１の下馳部７１ｄと上馳部７１ｅとが馳締され、これが順次繰り返されて上層屋根Ｂ２が施工される。
【００４２】
本発明では、建築用支持具を二層屋根Ｂの施工に使用する際に、下層屋根Ｂ１の馳締部Ｊの上端と、建築用支持具の低位面部１１とが上下方向（高さ方向）の間隔が小さいため、下層屋根Ｂ１と上層屋根Ｂ２との間に断熱材等の内装材を使用しないタイプで、且つ下層屋根Ｂ１と上層屋根Ｂ２との上下方向（高さ方向）の間隔が小さいものに使用する支持具として極めて好適なものにできる。
【００４３】
また、支持具の構成部材にあて板材２を加えることで、取付強度を保つことができる。さらに、あて板材２にバーリング加工を施すことにより、施工時の構成部品を抑えて生産コストを減らすことができると共に、施工時にはボルトを締付るのみで施工が完了できるため、施工性に優れている構成である。
【００４４】
さらに、馳締部固定用突起１５を設けることで、建築用支持具と折板屋根板の馳締部を締付具によってこれらの部材を一体化させることで、安定し且つ強固な取付施工ができる。具体的には、図５（Ｂ）に示すように、本発明の建築用支持具を備えた二層屋根において強負圧が作用している状態であると仮定すると、特に、前記上馳側部材１の馳締部固定用突起１５が下層屋根Ｂ１の馳締部Ｊの首部７１ｆに係止した状態となっており、極めて強固な取付構成にできる。つまり、前記馳締部固定用突起１５の係止固定にて頗る補強を可能にできる。
【００４５】
以上、本発明の最適な実施形態(第１実施形態)を用いて本発明を説明したが、本発明はこの実施形態(第１実施形態)に限定して解釈されるべきものではない。例えば、本実施形態において馳締部固定用突起１５，１５を除いた前記上馳側部材１を用いて建築用支持具の構成部材とし、取付易さを高めることで施工性に優れ、より軽量かつ安価な建築用支持具とすることも可能である。
【００４６】
次に、本発明における第２実施形態の建築用支持具を図６及び図７に基づいて説明する。第２実施形態の建築用支持具では、上馳側部材１と、下馳側部材３と、締付具４を備えたものであり、第１実施形態におけるあて板材２は構成に含まれないものである〔図６（Ａ），（Ｃ）参照〕。第２実施形態における上馳側部材１及び下馳側部材３のそれぞれの構成は、前述した第１実施形態における上馳側部材１及び下馳側部材３と略同等の構成である。
【００４７】
第２実施形態の建築用支持具における上馳側部材１では、第１実施形態の建築用支持具における上馳側部材１と同様に、馳締切欠き１３，１３，馳締部固定用突起１５，１５及び台座片１４，１４を有しており、前記馳締切欠き１３，１３は、それぞれ凹部１３ａと係止部１３ｂとを有している。そして、馳締部固定用突起１５，１５には、連結孔１５ａ，１５ａが形成されている。〔図６（Ｂ）参照〕
【００４８】
第２実施形態の建築用支持具において、上馳側部材１は、これを形成する金属板材の板厚が比較的厚材にて構成されていることが好ましい。具体的には、上馳側部材１の板厚は約３．５ｍｍ程度である。そして、下馳側部材３は、上馳側部材１の板厚よりも薄く形成しても構わない。具体的には、第１実施形態の建築用支持具におけるあて板材２の板厚と略同等で約３ｍｍ程度でよい。
【００４９】
つまり、第２実施形態の建築用支持具では、あて板材２を具備しないので、上馳側部材１の板厚を厚くすることで力学的強度を得るようにしている。ただし、使用条件(状況)によって、強風等が吹かないような穏やかな自然環境の地域では、上馳側部材１の板厚を特に厚くする必要はなく、下馳側部材３の板厚と同等でも構わない。第２実施形態の建築用支持具における上馳側部材１の低位上面１１と連結内側部１２は、断面Ｌ形状を構成するものであり〔図６（Ａ）参照〕、これらが上馳側部材１を構成すると共に、第１実施形態の建築用支持具におけるあて板材２の役目を併せ持つものである。
【００５０】
上馳側部材１の低位上面１１に形成された連結孔１１ａ及び連結内側部１２に形成された連結孔１２ａは、それぞれの周縁から円筒状に膨出するバーリング加工が施される。そして、連結孔１２ａ及び連結孔１２ｂの周縁部にバーリング加工によって形成される円筒状の膨出部分をバーリング加工部１ａと称する。低位上面１１の連結孔１１ａに形成されるバーリング加工部１ａは、低位上面１１の裏面側に向かって垂直状に突出され、また連結内側部１２の連結孔１２ａに形成されるバーリング加工部１ａは、連結内側部１２の内方側に向かって水平状に突出されるものである。連結孔１１ａ及び連結孔１２ａに形成されるバーリング加工部２ａの内周側は内ネジｓが形成されて、ネジ孔となっている。連結孔１１ａ及び連結内側部１２にバーリング加工部１ａが施されることにより内ネジｓの範囲を大きくすることができる。
【００５１】
また、第２実施形態の建築用支持具の変形例として、上馳側部材１における低位上面１１の連結孔１１ａ及び連結内側部１２の連結孔１２ａの周縁にバーリング加工部ａが形成されないものも存在する(図８参照)。この場合、連結孔１１ａ及び連結孔１２ａの内周側に内ネジｓが形成されることによってネジ孔が形成されることになる。この第２実施形態の建築用支持具の変形例では、上馳側部材１の板厚の厚さ寸法を特に大きくした場合に好適であり、具体的には板厚寸法が３.５mmであれば、連結孔１１ａ，連結孔１２ａの内ネジｓのネジ山の数を十分に確保できるものである。
【００５２】
第２実施形態の建築用支持具が、二層屋根Ｂにおける下層屋根Ｂ１の馳締部Ｊに装着される構造は、第１実施形態の建築用支持具による場合と略同等である〔図１（Ａ）参照〕。図７は、第２実施形態の建築用支持具が二層屋根Ｂに使用された状態を示す縦断正面図である。第２実施形態の建築用支持具を二層屋根Ｂにおける下層屋根Ｂ１の馳締部Ｊに装着する工程については、第１実施形態の建築用支持具の場合と同等である。
【００５３】
したがって、第２実施形態の建築用支持具における下層屋根Ｂ１の馳締部Ｊに装着する工程についても図４に示された工程の図が略そのまま適用される。まず、上馳側部材１の両馳締切欠き１３，１３の間に馳締部Ｊを通過させ、両馳締切欠き１３，１３内に馳締部Ｊを収容させる。このとき馳締部Ｊの上端と低位上面１１の裏面側とが近接状態となる。
【００５４】
次いで、締付具４を締め付けて、下馳側部材３を上馳側部材１内方側に移動させ、前記下馳側部材３の切欠き付き突起３３，３３の係止部３３ｂ，３３ｂと、上馳側部材１の馳締切欠き１３，１３の係止部１３ｂ，１３ｂとで、馳締部Ｊの首部７１ｆと上馳側の首部７１ｆを挟持固定する。
【００５５】
さらに、締付具４を締め付けることで、係止部３３ｂ，３３ｂと係止部１３ｂ，１３ｂとが馳締部Ｊを構成する首部７１ｆ，７１ｆを挟持押圧し、建築用支持具が下層屋根Ｂ１の馳締部Ｊに固着され、該馳締部Ｊの首部７１ｆに接近している馳締部固定用突起１５，１５に対して、ボルトまたはビス等により、馳締部固定用突起１５，１５を介して首部７１ｆを締付固定させる。
【００５６】
そして、建築用支持具の低位上面１１に吊子８を装着する。このとき、該吊子８は、低位上面１１の連結孔１１ａ(バーリング加工部が形成された場合にはこれを含む)に形成されたネジ孔に固着具６のボルト６１によって固定することができる。そして、吊子８を介して上層屋根Ｂ２を構成する折板屋根板材７１，７１，…を施工してゆくものであり、以後の施工についても第１実施形態の建築用支持具による施工と同様の施工となる。
【符号の説明】
【００５７】
１…上馳側部材、１１…低位上面、１２…連結内側部、１３…馳締切欠き、
１４…台座片、１５…馳締部固定用突起、１６…覆い片、２…あて板材、
２１ａ…連結孔、２１ｂ…連結孔、３…下馳側部材、３１…高位上面、
３２…連結外側部、３３…切欠き付き突起、３４…台座片、４…締付具、Ｂ…二層屋根、
Ｂ１…下層屋根、Ｂ２…上層屋根、７１…折板屋根板材、７１ｅ…上馳部、
７１ｄ…下馳部、７１ｆ…首部、８…吊子、Ｊ…馳締部。
【図１】
2019183623.tif 000003
【図２】
2019183623.tif 000004
【図３】
2019183623.tif 000005
【図４】
2019183623.tif 000006
【図５】
2019183623.tif 000007
【図６】
2019183623.tif 000008
【図７】
2019183623.tif 000009
【図８】
2019183623.tif 000010